(57)【特許請求の範囲】
【請求項１】
上壁部に濾過液送出口、底壁部に残留原液用の下部濾過液出口、側壁部に原液入口をそれぞれ備え筒状に形成された濾過機本体、濾過液送出口に連通して設置された上部円筒状フィルター、下部濾過液出口に連通して設置された残留原液濾過用の下部円筒状フィルター、原液入口に設けられた逆止弁、及び上部濾過液出口に設けられた三方弁より構成され、三方弁の操作により濾過液送出口と高圧空気源を、あるいは濾過液送出口と外部を各々独立させて連通させるようにしたことを特徴とする濾過装置。
【発明の詳細な説明】
【０００１】
【産業上の利用分野】
本願発明は、系内に導入された原液を最後まで濾過する装置に関する。
【０００２】
【従来の技術】
珪藻土を利用する濾過装置において、濾過機本体内に残留する原液を全量濾過することは生産効率上有用なことである。円筒状フィルターを備えた珪藻土濾過装置において、上記原液を濾過回収する場合、空気圧を利用して該原液を濾過するのが一般的である。そしてこの場合残留原液を処理するフィルターは、水平板式でも良いが、回収時間を短縮するために濾過面積の多い円筒状フィルターを底部に立設するのが効率的である。
【０００３】
従来、濾過面に珪藻土等の濾過助剤をコーティングして原液を濾過し、ならびに濾過後濾過機本体内に残留した原液を濾過処理するものとして、図１に示す濾過装置が知られている。
従来の濾過装置１は、主に密閉円筒状をした濾過機本体２と、該本体２内の上部より吊設された上部円筒状フィルター３と、底部に立設され残留原液濾過用の下部円筒状フィルター４より構成されている。濾過機本体２の側壁部５には原液入口６、上壁部７には上部濾過液出口８と残留原液押圧用の空気入口９、底壁部１０には残留原液用の下部濾過液出口１１がそれぞれ設けられている。
そして本体２は、上部本体１２と下部本体１３とに分割されていて、連結部材１４により下部本体１３は開閉自在となっている。上部本体１２の上方部には、上部濾過液室１５が上部区画壁１６により区画形成されており、上部円筒状フィルター３は、該濾過液室１５を介して濾過液出口８ならびに空気入口９と連通している。一方底部には、下部濾過液室１７が下部区画壁１８により区画形成されており、下部円筒状フィルター４は、該濾過液室１７を介して下部濾過液出口と連通している。
【０００４】
上部円筒状フィルター３により濾過された液は、濾過液弁１９と濾過液管２０を通り濾過液タンク２１へ導かれる。また、下部円筒状フィルター４により濾過された液は、濾過液管２０に連通された残留液濾過管２２と該管２０を通り濾過液タンク２１へ導かれる。
原液入口６には、ポンプ２３が接続されていて、原液は導入弁２４と導入管２５を通って原液タンク２６より濾過機本体２内に導入される。
空気入口９は、高圧空気源２７に連通されていて、空気弁２８を介して高圧空気が濾過機本体２内へ導入される構成となっている。
【０００５】
かく構成されて成る従来の濾過装置１により原液を濾過するには、先ず通常の手段で珪藻土等の濾過助剤を上下部の円筒状フィルター３，４にコーティングした後、ポンプ２３により原液を濾過機本体２に供給し、該フィルター３，４により濾過する。このとき濾過液弁１９と導入弁２４は開、空気弁２８は閉にしておく。濾過液は、上下部の濾過液出口８，１１より濾過液タンク２１に導かれ回収される。
原液が濾過機本体２内に残っている状態での濾過工程（以下通常濾過工程という）の終了後、濾過液弁１９と導入弁２４を閉にし空気弁２８を開いて、濾過機本体２内に高圧空気を導入し、残留原液濾過用の下部円筒状フィルター４にて該本体２内に残っている原液を濾過処理する（以下残留原液濾過工程という）。このとき濾過液は、残留原液濾過管２２と濾過液管２０を通り濾過液タンク２１へ導かれる。
【０００６】
【発明が解決しようとする課題】
以上説明した通常濾過工程から残留原液濾過工程に移る場合、空気弁２８を開けて高圧空気を濾過機本体２内に導入するのとほぼ同時に導入弁２４と濾過弁１９を閉にしないと、残留原液処理用の下部円筒状フィルター４に形成されている濾過助剤が脱落する虞があった。この操作はタイミングが難しく熟練を必要とし、解決が望まれていた。
そこで本願発明者は鋭意研究の結果、濾過液弁１９と空気弁２８の代わりに三方弁を利用することにより、濾過の圧力をポンプの圧力から空気圧に切り換える工程を簡易的に行えることを知見し、本願発明を完成させた。
【０００７】
【課題を解決するための手段】
すなわち本願発明は、上壁部に濾過液送出口、底壁部に残留原液用の下部濾過液出口、側壁部に原液入口をそれぞれ備え筒状に形成された濾過機本体、濾過液送出口に連通して設置された上部円筒状フィルター、下部濾過液出口に連通して設置された残留原液濾過用の下部円筒状フィルター、原液入口に設けられた逆止弁、及び上部濾過液出口に設けられた三方弁より構成され、三方弁の操作により濾過液送出口と高圧空気源を、あるいは濾過液送出口と外部を各々独立させて連通させるようにしたことを特徴とする濾過装置である。
【０００８】
【発明の実施の形態】
次ぎに図２〜４を基に本願発明を詳細に説明する。
本願発明に係る濾過装置３０は、濾過機本体２の上壁部７には濾過液送出口３１が設けられており、この送出口３１は濾過液の排出と高圧空気の導入を兼ねることになる。
そして３２は三方弁で、濾過液送出口３１、高圧空気源２７、及び濾過液管２０を介し濾過液タンク２１にそれぞれ連結されており、濾過液送出口３１と濾過液タンク２１、濾過液送出口３１と高圧空気源２７がそれぞれ独立して連通するよう連結されている。下部濾過液出口１１は、図１の従来の濾過装置１と同様に残留原液濾過管２２と濾過液管２０を介して濾過液タンク２１に連結される。
原液入口６には、逆止弁３３が設けられていて濾過機本体２内に空気圧が作用したときに、該本体２内を密閉にする機能を有する。
３４は、残留原液濾過管２２に設置された濾過液流の検出器で、該液流の流れの有無すなわち残留原液濾過工程の終了を検出し、高圧空気源２７を停止させる機能を有している。
【０００９】
本願発明はかく構成されており、通常濾過工程の場合はまず三方弁３２を操作し、濾過液出口３１と濾過液管２０が連通するようにしておく。
そして、ポンプ２３により逆止弁３３を介し、原液入口６より原液は濾過機本体２内に導入され、上下部の円筒状フィルター３，４により濾過された後、濾過液は濾過液送出口３１と下部濾過液出口１１より排出され、濾過液タンク２１に導かれる。
【００１０】
以上の通常濾過工程の終了後残留原液濾過工程に移るわけであるが、まず、このとき三方弁３２を操作し、濾過液出口３１と高圧空気源２７が連通するようにする。すると直ちに高圧空気が濾過液送出口３１を通って濾過機本体２内に導かれ、まず上部円筒状フィルター３の内側より空気圧が作用し、いわゆる該フィルター３の逆洗をしながら原液は下部円筒状フィルター４のみにより濾過され、下部濾過液出口１１より残留原液濾過管２２と濾過液管２０を介して濾過液タンク２１に濾過液は導かれる。このとき原液入口６には逆止弁３３が設けられているため、濾過機本体２内は密閉状態が保持される。
この残留原液濾過工程は、濾過機本体２内に原液が無くなるまで続けられる。そして、本工程が終了した時点、すなわち液流検出器３４により濾過液流の終了が検出された時点で、該検出器３４の信号により高圧空気源２７が停止される。濾過機本体２内の圧力は、濾過液管２０より大気中へ放出され、濾過工程が終了する。
【００１１】
残留原液濾過工程において、濾過機本体２内の原液は、基本的には下部円筒状フィルター４の頂部までは押圧空気がショートパスしないで濾過処理が可能である。そして、濾過機本体２内の原液面が、下部円筒状フィルター４の頂部より降下した場合、例えば、図５に示すごとく残留原液濾過液管２２に調整弁４３を介装し、かつ該管２２に透明部４４を設け該部４４より押圧空気の流れ（漏れ）を目視し、調整弁４３を操作しながら最後まで濾過する方法がある。これにより急激な押圧空気の放出を防止することができる。
【００１２】
濾過液管２０より濾過機本体２内の空気圧を抜く手段として、図３のように濾過液タンク２１の液面３６より常に濾過液管２０の末端部３７が上に位置するように配管し、かつ末端部３７を濾過液タンク２１の内壁面に沿わせておけば、濾過液の流入時に濾過液タンク２１内の濾過液を無用に攪拌することがない。
図４は、濾過液管２０から濾過機本体２内の空気放出手段の他の実施例である。濾過液管２０の最下流部４２より空気放出管３８を分岐させ、その各々に濾過弁３９、空気放出弁４０を設け、液流検出器３４の指令に基づき濾過液が流れているときは、濾過弁３９のみを開にし、濾過液流が停止したときは濾過弁３９を閉にし空気放出弁４０を開にして濾過機本体２内の空気を大気中に放出する例である。
【００１３】
【発明の効果】
本願発明は以上のように構成されており、通常濾過工程から残留原液濾過工程の切換が簡単にでき、かつ下部円筒状フィルターの濾過助剤を剥離させることがないため、常に清澄な濾過液が得られる。
【図面の簡単な説明】
【図１】従来の濾過装置の正面断面図
【図２】本願発明に係る濾過装置の正面断面図
【図３】濾過機本体内の空気を抜く手段を示す実施例図
【図４】濾過機本体内の空気を抜く手段を示す他の実施例図
【図５】濾過機本体内の原液を濾過する実施例図
【符号の説明】
１  従来の濾過装置
２  濾過機本体
３  上部円筒状フィルター
４  残留原液濾過用の下部フィルター
６  原液入口
８  上部濾過液出口
９  空気入口
１１  下部濾過液出口
１５  上部濾過液室
１７  下部濾過液室
１９  濾過液弁
２０  濾過液管
２１  濾過液タンク
２２  残留原液濾過液管
２３  ポンプ
２４  導入弁
２５  導入管
２６  原液タンク
２７  高圧空気源
２８  空気弁
３０  本願発明に係る濾過装置
３１  濾過液出口
３２  三方弁
３３  逆止弁
３４  液流検出器
３５  液面計
３８  空気放出管
３９  濾過弁
４０  空気放出弁
【図１】
0004015794.tif 000002
【図２】
0004015794.tif 000003
【図３】
0004015794.tif 000004
【図４】
0004015794.tif 000005
【図５】
0004015794.tif 000006